(57)【特許請求の範囲】
【請求項１】
中央部に通し孔が形成されたポッティングシェルと、
該ポッティングシェルの前側に嵌合し得るように設けられた複数のコンタクトが植設され、かつ中央部に通し孔が形成された絶縁材料からなるインサートと、
該インサートと前記ポッティングシェルの各通し孔に嵌入される一端にフランジを有する固定パイプと、
該固定パイプを前記各通し孔に嵌入した後、両者を固定せしめるための該固定パイプの他端に設けられた固定手段と、
前記固定パイプに挿入される棒状体であって、前側先端部に雄ねじ部が形成されると共にその中間部に前記固定パイプのフランジに係止される鍔部を有する固定部材と、
該固定部材を前記固定パイプに軸方向に所要範囲で移動可能に該固定部材の後端部に固定されたノブとから構成され、
前記固定部材の先端に形成された雄ねじ部を相手側レセプタクルコネクタの接続側中央部に設けられた雌ねじ部に螺合せしめることにより両コネクタを固定するようにしたコネクタの接続固定構造。
【請求項２】
前記インサートの前面外周縁から外周面を覆うように設けられた弾性材料からなるシーリング部材を有する請求項１に記載のコネクタの接続固定構造。
【発明の詳細な説明】
【０００１】
【発明の属する技術分野】
本発明はケーブルの複数の芯線をポッティングシェルを介してコンタクトに接続されるように構成されたプラグコネクタと、このプラグコネクタに接続されるレセプタクルコネクタとの接続固定構造に関するものである。
【０００２】
【従来の技術】
従来のプラグコネクタとレセプタクルコネクタとの一般的な接続固定構造は、プラグコネクタの接続側のプラグシェルの外周面軸方向に幅が異なる複数の突状部が等間隔にならないように設けられている。またプラグシェルの外周にはリテナリングにより係止されたカップリングリングが回転自在に設けられると共に、そのカップリングリングの内周面には雌ねじ部と同じような機能を有するような斜めに形成された突状部が設けられている。
【０００３】
次にこのプラグコネクタの嵌合相手となるレセプタクルコネクタは、レセプタクルシェルの内周面の軸方向に前記プラグシェルの外周面軸方向に設けられた複数の突状部が係合する複数個の溝を設けると共に、当該シェルの外周面には前記カップリングリングの内周面に設けられた斜めに形成された突状部に係合する斜めに形成された複数個の溝が設けられている。従って、プラグコネクタとレセプタクルコネクタとは、両者のシェルの軸方向に設けられた複数の突状部と溝部とを位置合せして嵌め込んだ後、プラグコネクタのカップリングリング内周面の突状部をレセプタクルコネクタの外周面の溝に係合させて、カップリングリングを回動して両者の接続を固定しているものである。
【０００４】
【発明が解決しようとする課題】
しかしながら、プラグコネクタとレセプタクルコネクタの両コンタクトを接続した後の、両者の固定をカップリングリングにより行うようにしているため、少なくともカップリングリングの厚み分だけ外形が大きくなるという構造上避け得ない問題があった。また、本発明に係るようにプラグシェルにポッティングシェルを用いた場合は、ポッティング材が漏れてカップリングリングの内周面に付着して、レセプタクルコネクタとの係合に支障を来すこともあり、その改善が望まれていた。
【０００５】
【課題を解決するための手段】
本発明によるコネクタの接続固定構造は、中央部に通し孔が形成されたポッティングシェルと、該ポッティングシェルの前側に嵌合し得るように設けられた複数のコンタクトが植設され、かつ中央部に通し孔が形成された絶縁材料からなるインサートと、該インサートと前記ポッティングシェルの各通し孔に嵌入される一端にフランジを有する固定パイプと、該固定パイプを前記各通し孔に嵌入した後、両者を固定せしめるための該固定パイプの他端に設けられた固定手段と、前記固定パイプに挿入される棒状体であって、前側先端部に雄ねじ部が形成されると共にその中間部に前記固定パイプのフランジに係止される鍔部を有する固定部材と、該固定部材を前記固定パイプに軸方向に所要範囲で移動可能に該固定部材の後端部に固定されたノブとから構成され、前記固定部材の先端に形成された雄ねじ部を相手側レセプタクルコネクタの接続側中央部に設けられた雌ねじ部に螺合せしめることにより両コネクタを固定するようにしたものである。
【０００６】
【発明の実施の形態】
図１は本発明に係るポッティングシェルを用いて構成したプラグコネクタの一実施例であり、（ａ）側面の一部縦断面図、（ｂ）正面図、（ｃ）背面図を示す。また、図２は図１（ｂ）に現れているコンタクトの側面縦断面図である。図１において１は例えばアルミニウム合金により製作されているポッティングシェルで、中央に所要の径を有する通し孔２が設けられていると共に、通し孔２の周囲にはポッティング用空間部３が形成され、かつその外壁の一部に図示していないケーブル又はケーブル芯線の引出孔４が設けられている。
【０００７】
５はポッティングシェル１の前面側に設けられる絶縁材料からなるインサートで、このインサート５には２種類のガイドピン６，７が各１個，ピンコンタクトＡ８が４個，ピンコンタクトＢ９が１８個，コンタクト１０が２個植設されていると共に、中央部にはポッティングシェル１と同様に所要の径を有する通し孔１１が設けられている。１２はＥ型止め輪でガイドピン６のスリットに抜け止め用として嵌め込まれている。１３は中型のＣワッシャでガイドピン７及びピンコンタクトＡ８のスリットに抜け止め用として嵌め込まれている。
【０００８】
１４は小型のＣワッシャでピンコンタクトＢ９のスリットに抜け止め用として嵌め込まれている。１５は固定パイプで一端にフランジ１６が設けられ他端外周には雄ねじ部が設けられ、ポッティングシェル１とインサート５の中央部に設けられている通し孔２，１１に嵌入した後、前記雄ねじ部にフリクションワッシャ１７とナット１８により締め付けて、フランジ１６とナット１８とにより両者の嵌合を固定している。
【０００９】
１９は固定パイプ１５に挿入される棒状の固定部材で、前側先端部には雄ねじ部２０が形成され、後端側にはこの固定部材１９を回転させるノブ２１が六角穴付止めねじ２２により固定されている。また固定部材１９の先端側の所定箇所、即ちこの固定部材１９が固定パイプ１５の内部を軸方向に移動し得る範囲を規制する位置に、鍔部２３が設けられている。従って、図示してない相手側レセプタクルコネクタのインサートの前面中央部に設けられている雌ねじ部に余裕をもって螺合されるようにすると共に、固定パイプ１５からの脱落を防止するものである。２４はシールリングでインサート５の前面の縁から外周面にかけてその角部を覆うように嵌入された弾性材料例えばネオプレンゴムからなり、相手側レセプタクルコネクタと接続固定された状態での両者間の気密性を高めるためのものである。
【００１０】
２５はポッティングシェル１の後面に設けられたなべ小ねじで、ポッティング用空間部３へのモールドを注入口２６を塞ぐように設けられたものである。
図２のコンタクト１０は、ボディ２７，フェルール２８，インシュレータＡ２９，インシュレータＢ３０，クリップ３１，ソケットコンタクト３２から構成されており、インサート５の内周面の段部３３にコンタクト１０のボディ２７の外周面の段部３４が係合するまで嵌入された状態となっていて、コンタクト１０のばね性のあるクリップ３１の先端がインサート５の内壁面に食い込むように係止されて固定されるものである。
【００１１】
このプラグコネクタをレセプタクルコネクタに接続する場合は、両者のガイドピンとガイドソーシングを一致させることにより両者のコンタクトを対向させて接続し、棒状の固定部材１９をノブ２１により回転させ、その先端の雄ねじ部２０を相手側レセプタクルコネクタのインサートに設けられたセンターガイドの雌ねじ部に螺合により引き付けられ、両者はプラグコネクタに設けられたシールリング２４を介して密着状態で固定される。
【００１２】
【発明の効果】
以上詳細に説明したように本発明によるコネクタの接続固定構造は、プラグコネクタの中心部に設けられた先端に雄ねじ部が形成された棒状の固定部材によりレセプタクルコネクタの嵌合部の中心部に設けられた雌ねじ部に螺合せしめて固定するようにしたものであるため、従来のカップリングリングを用いて固定する構造のものに比較して小形化を図ることができる。また、仮にポッティング用のモールドが外部に漏れた場合においても、プラグコネクタとレセプタクルコネクタとを固定するカップリングリングなどのねじ部に類似する係止部が表面に出ていないため、その影響を被ることがないなどの効果を有するものである。
【図面の簡単な説明】
【図１】本発明に係るプラグコネクタの一実施例を示す側面一部縦断面図，正面図，背面図である。
【図２】本発明に係るプラグコネクタの一実施例において組立てられるコンタクトの側面一部縦断面図である。
【符号の説明】
１  ポッテングシェル
２  ポッテングシェルの通し孔
３  ポッティング用空間部
４  ポッテングシェルのケーブル芯線引出孔
５  インサート
６，７  ガイドピン
８  ピンコンタクトＡ
９  ピンコンタクトＢ
１０  コンタクト
１１  インサートの通し孔
１２  Ｅ型止め輪
１３  中型のＣワッシャ
１４  小型のＣワッシャ
１５  固定パイプ
１６  固定パイプのフランジ
１７  フリクションワッシャ
１８  ナット
１９  固定部材
２０  固定部材の雄ねじ部
２１  ノブ
２２  六角穴付止めねじ
２３  固定部材の鍔部
２４  シールリング
２５  なべ小ねじ
２６  モールド注入口
２７  ボディ
２８  フェルール
２９  インシュレータＡ
３０  インシュレータＢ
３１  クリップ
３２  ソケットコンタクト
３３  インサートの段部
３４  ボディの段部
【図１】
0004060474.tif 000002
【図２】
0004060474.tif 000003